【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
芳香族ポリエステル(a)を含有する第一の層(A)および230〜290℃なる範囲の融点を持つポリオレフィン(b)を含有する第二の層(B)および層(A)と層(B)との間の接着性中間層(C)を含み、該ポリオレフィンがスチレンポリマーであり、該接着性中間層(C)が、無水物-変性エチレンコポリマーから選択されるタイ-層材料(c)を含み、該エチレンコポリマーにおいて、該コポリマー中に存在する無水物の割合が、該ポリマーの3.0質量％以下であり、かつ該エチレンコポリマーが、1種またはそれ以上の、スチレン以外の追加のコモノマーを含むことを特徴とする、多層二軸延伸フィルム。
【請求項２】
前記1種またはそれ以上のコモノマーが、ビニル芳香族化合物以外のコモノマーから選択される、請求項1記載のフィルム。
【請求項３】
前記無水物が、マレイン酸無水物である、請求項1または2記載のフィルム。
【請求項４】
前記無水物が、前記コポリマー主鎖上にグラフトされている、請求項1〜3の何れか1項に記載のフィルム。
【請求項５】
前記無水物が、前記コポリマー中に、該コポリマーの2.5質量％以下の量で存在する、請求項1〜4の何れか1項に記載のフィルム。
【請求項６】
前記無水物-変性エチレンコポリマーが、40％〜95％なる範囲の質量％レベルでエチレンを含む、請求項1〜5の何れか1項に記載のフィルム。
【請求項７】
前記無水物-変性エチレンコポリマーが、1種またはそれ以上の、以下に列挙するコモノマー：
(i) 好ましくは0〜40%なる範囲の質量%レベルの量のプロピレン；
(ii) 好ましくは0〜5%なる範囲の質量%レベルの量のブテン；
(iii) 好ましくは0〜15%なる範囲の質量%レベルの量のメチル、エチル、プロピルまたはブチルエステルとしてのアクリレートエステル；
(iv) 好ましくは0〜30%なる範囲の質量%レベルの量の酢酸ビニル；および
(v) 3％までの質量%レベルの量のマレイン酸無水物、
を更に含む、請求項1〜6の何れか1項に記載のフィルム。
【請求項８】
前記無水物-変性エチレンコポリマーが、無水物-変性エチレンアクリレートポリマー樹脂であり、前記エチレン単位が、90〜95質量％なる範囲の量で存在してもよく、前記アクリレート単位が、5〜10質量％なる範囲の量で存在してもよく、かつ前記無水物単位が、0.1〜2質量％なる範囲の量で存在してもよい、請求項1〜7の何れか1項に記載のフィルム。
【請求項９】
前記無水物-変性エチレンコポリマーが、無水物-変性エチレン酢酸ビニルコポリマーであり、前記エチレン単位が、70〜80質量％なる範囲の量で存在してもよく、前記酢酸ビニル単位が、20〜30質量％なる範囲の量で存在してもよく、かつ前記無水物単位が、0.1〜2質量％なる範囲の量で存在してもよい、請求項1〜7の何れか1項に記載のフィルム。
【請求項１０】
前記無水物-変性エチレンコポリマーが、1種またはそれ以上の追加の、好ましくはプロピレンおよびブテンから選択されるアルケンモノマー繰返し単位を含み、また好ましくはプロピレンおよびブテン両者が、該コポリマー中に存在し、前記エチレン単位が、60〜80質量％なる範囲の量で存在してもよく、前記1種またはそれ以上の追加のアルケンモノマー繰返し単位が、約20〜約40質量％なる範囲の量で存在してもよく、該アルケンモノマー繰返し単位において、好ましくは前記プロピレン単位が、約30〜約40％なる範囲の量で存在してもよく、かつ前記ブテン単位が、約0.5〜約2.5％なる範囲の量で存在してもよく、また前記無水物単位が、0.1〜2質量％なる範囲の量で存在してもよい、請求項1〜7の何れか1項に記載のフィルム。
【請求項１１】
前記無水物-変性エチレンコポリマーが、30〜70℃なる範囲の、ASTM D1525に従って測定されたビカー軟化温度、および/または4〜10g/10分なる範囲の、ASTM D1238に従って測定されたメルトフローインデックス(MFI)を示し、および/または窒素雰囲気下にて10分間なる期間に渡り、310℃にて等温加熱した場合に、5％以下の減量を示す、請求項1〜10の何れか1項に記載のフィルム。
【請求項１２】
前記芳香族ポリエステル(a)が、ポリエチレン-2,6-ナフタレンジカルボキシレートである、請求項1〜11の何れか1項に記載のフィルム。
【請求項１３】
前記ポリオレフィンが、(i)ポリスチレン、ポリ(アルキルスチレン)およびポリ(アリールスチレン)から選択されるスチレンポリマー、又は(ii)ポリスチレン、ポリメチルスチレン、ポリジメチルスチレンおよびポリブチルスチレンから選択されるスチレンポリマー、又は(iii)シンジオタクチック構造を持つスチレンポリマーである、請求項1〜12の何れか1項に記載のフィルム。
【請求項１４】
前記ポリオレフィンが、シンジオタクチック構造を持つスチレンポリマーであり、かつ前記シンジオタクチックスチレンポリマーが、ポリスチレン、ポリ(アルキルスチレン)およびポリ(アリールスチレン)から選択される、請求項13記載のフィルム。
【請求項１５】
前記ポリ(アルキルスチレン)が、ポリ(メチルスチレン)、ポリ(エチルスチレン)、ポリ(プロピルスチレン)およびポリ(ブチルスチレン)から選択され、かつ前記ポリ(アリールスチレン)がポリ(フェニルスチレン)である、請求項14記載のフィルム。
【請求項１６】
前記シンジオタクチックスチレンポリマーがポリスチレン、ポリ(p-メチルスチレン)、ポリ(m-メチルスチレン)、およびポリ(p-tert-ブチルスチレン)から選択される、請求項14記載のフィルム。
【請求項１７】
前記ポリオレフィン(b)対全フィルム重量の質量比が、2〜60質量％なる範囲にある、請求項1〜15の何れか1項に記載のフィルム。
【請求項１８】
少なくとも1つの更なるポリエステル層、少なくとも1つの更なるポリオレフィン層、および少なくとも1つの更なる接着性中間層をも含み、ここで一層の接着性中間層が、任意の隣接するポリエステル層とポリオレフィン層との間に存在する、請求項1〜17の何れか1項に記載のフィルム。
【請求項１９】
前記フィルムの層構造が、
(i) 層配列：ACBなる3-層構造；
(ii) 層配列：ACBCAなる5-層構造；および
(iii) 9または13またはそれ以上の層、および好ましくは51層以下、好ましくは25層以下を持つ多層構造、ここで層(A)および層(B)は、これらの層配列が[…ACBCACBCA…]となるように、これらの間にフィルム層(C)の中間層を含んで交互に配列されている、
から選択される、請求項1〜18の何れか1項に記載のフィルム。
【請求項２０】
前記接着性中間層(C)またはその各々の厚みが、0.05μm〜2.5μmなる範囲、好ましくは0.1μm〜1.5μmなる範囲にある、請求項1〜19の何れか1項に記載のフィルム。
【請求項２１】
前記全フィルムの厚みが、1〜10μmなる範囲にある、請求項1〜20の何れか1項に記載のフィルム。
【請求項２２】
少なくとも5層を持ち、その外側層が層(A)であるか、又は層配列ACBCAを持つ5層を含み、前記フィルムの全厚みが、4〜6μmなる範囲にあり、かつ前記各層(C)の厚みが、約0.4〜約0.5μmなる範囲にあり、好ましくは該ポリエステル層(A)各々の厚みが、該ポリオレフィン層(B)の厚みの約2倍である、請求項1〜21の何れか1項に記載のフィルム。
【請求項２３】
前記全フィルムの厚みが、約5〜約350μmなる範囲内にある、請求項1〜20の何れか1項に記載のフィルム。
【請求項２４】
前記フィルムの横方向における湿度膨張係数が、0.1x10-6〜13x10-6%/RH%なる範囲にあり、および/または該フィルムの横方向における温度膨張係数が、-5x10-6〜15x10-6%/℃なる範囲にあり、および/または前記フィルムの横方向および縦方向両者におけるヤング率が、5GPaまたはそれ以上であり、また一態様において、これら両者の総和が、22GPa以下であり、および/または前記フィルムの離層抵抗が、少なくとも約500mN/25mmである、請求項1〜23の何れか1項に記載のフィルム。
【請求項２５】
同時押出しされたフィルムである、請求項1〜24の何れか1項に記載のフィルム。
【請求項２６】
請求項1〜25の何れか1項に記載のフィルム、およびその一方の面に設けられた磁性層を含むことを特徴とする、磁気記録媒体であって、LTO磁気記録媒体であってもよい前記磁気記録媒体。
【請求項２７】
請求項1〜25の何れか1項に記載のフィルムを含むことを特徴とする、エレクトロニクスまたはオプト-エレクトロニクスデバイスであって、前記デバイスが、エレクトロルミネッセンスディスプレイデバイス、電気泳動ディスプレイデバイス、光電池および半導体デバイスから選択されてもよく、及び/又は可撓性であってもよい前記デバイス。
【手続補正２】
【補正対象書類名】明細書
【補正対象項目名】００９１
【補正方法】変更
【補正の内容】
【００９１】
【表７】
2014524849.tif 000001
次に、本発明の態様を示す。
1.  芳香族ポリエステル(a)を含有する第一の層(A)および230〜290℃なる範囲の融点を持つポリオレフィン(b)を含有する第二の層(B)および層(A)と層(B)との間の接着性中間層(C)を含み、該ポリオレフィンがスチレンポリマーであり、該接着性中間層(C)が、無水物-変性エチレンコポリマーから選択されるタイ-層材料(c)を含み、該エチレンコポリマーにおいて、該コポリマー中に存在する無水物の割合が、該ポリマーの3.0質量％以下であり、かつ該エチレンコポリマーが、1種またはそれ以上の、スチレン以外の追加のコモノマーを含むことを特徴とする、多層二軸延伸フィルム。
2.  前記1種またはそれ以上のコモノマーが、ビニル芳香族化合物以外のコモノマーから選択される、上記1記載のフィルム。
3.  前記無水物が、マレイン酸無水物である、上記1または2記載のフィルム。
4.  前記無水物が、前記コポリマー主鎖上にグラフトされている、上記1〜3の何れか1項に記載のフィルム。
5.  前記無水物が、前記コポリマー中に、該コポリマーの2.5質量％以下の量で存在する、上記1〜4の何れか1項に記載のフィルム。
6.  前記無水物-変性エチレンコポリマーが、40％〜95％なる範囲の質量％レベルでエチレンを含む、上記1〜5の何れか1項に記載のフィルム。
7.  前記無水物-変性エチレンコポリマーが、1種またはそれ以上の、以下に列挙するコモノマー：
(i) 好ましくは0〜40%なる範囲の質量%レベルの量のプロピレン；
(ii) 好ましくは0〜5%なる範囲の質量%レベルの量のブテン；
(iii) 好ましくは0〜15%なる範囲の質量%レベルの量のメチル、エチル、プロピルまたはブチルエステルとしてのアクリレートエステル；
(iv) 好ましくは0〜30%なる範囲の質量%レベルの量の酢酸ビニル；および
(v) 3％までの質量%レベルの量のマレイン酸無水物、
を更に含む、上記1〜6の何れか1項に記載のフィルム。
8.  前記無水物-変性エチレンコポリマーが、無水物-変性エチレンアクリレートポリマー樹脂である、上記1〜7の何れか1項に記載のフィルム。
9.  前記エチレン単位が、90〜95質量％なる範囲の量で存在し、前記アクリレート単位が、5〜10質量％なる範囲の量で存在し、かつ前記無水物単位が、0.1〜2質量％なる範囲の量で存在する、上記8記載のフィルム。
10.  前記無水物-変性エチレンコポリマーが、無水物-変性エチレン酢酸ビニルコポリマーである、上記1〜7の何れか1項に記載のフィルム。
11.  前記エチレン単位が、70〜80質量％なる範囲の量で存在し、前記酢酸ビニル単位が、20〜30質量％なる範囲の量で存在し、かつ前記無水物単位が、0.1〜2質量％なる範囲の量で存在する、上記10記載のフィルム。
12.  前記無水物-変性エチレンコポリマーが、1種またはそれ以上の追加の、好ましくはプロピレンおよびブテンから選択されるアルケンモノマー繰返し単位を含み、また好ましくはプロピレンおよびブテン両者が、該コポリマー中に存在する、上記1〜7の何れか1項に記載のフィルム。
13.  前記エチレン単位が、60〜80質量％なる範囲の量で存在し、前記1種またはそれ以上の追加のアルケンモノマー繰返し単位が、約20〜約40質量％なる範囲の量で存在し、該アルケンモノマー繰返し単位において、好ましくは前記プロピレン単位が、約30〜約40％なる範囲の量で存在し、かつ前記ブテン単位が、約0.5〜約2.5％なる範囲の量で存在し、また前記無水物単位が、0.1〜2質量％なる範囲の量で存在する、上記12記載のフィルム。
14.  前記無水物-変性エチレンコポリマーが、30〜70℃なる範囲の、ASTM D1525に従って測定されたビカー軟化温度、および/または4〜10g/10分なる範囲の、ASTM D1238に従って測定されたメルトフローインデックス(MFI)を示し、および/または窒素雰囲気下にて10分間なる期間に渡り、310℃にて等温加熱した場合に、5％以下の減量を示す、上記1〜13の何れか1項に記載のフィルム。
15.  前記芳香族ポリエステル(a)が、ポリエチレン-2,6-ナフタレンジカルボキシレートである、上記1〜14の何れか1項に記載のフィルム。
16.  前記ポリオレフィンがポリスチレン、ポリ(アルキルスチレン)およびポリ(アリールスチレン)から選択されるスチレンポリマーである、上記1〜15の何れか1項に記載のフィルム。
17.  前記ポリオレフィンがポリスチレン、ポリメチルスチレン、ポリジメチルスチレンおよびポリブチルスチレンから選択される、上記1〜15の何れか1項に記載のフィルム。
18.  前記ポリオレフィンが、シンジオタクチック構造を持つスチレンポリマーである、上記1〜15の何れか1項に記載のフィルム。
19.  前記シンジオタクチックスチレンポリマーが、ポリスチレン、ポリ(アルキルスチレン)およびポリ(アリールスチレン)から選択される、上記18記載のフィルム。
20.  前記ポリ(アルキルスチレン)が、ポリ(メチルスチレン)、ポリ(エチルスチレン)、ポリ(プロピルスチレン)およびポリ(ブチルスチレン)から選択される、上記19記載のフィルム。
21.  前記ポリ(アリールスチレン)がポリ(フェニルスチレン)である、上記19記載のフィルム。
22.  前記シンジオタクチックスチレンポリマーがポリスチレン、ポリ(p-メチルスチレン)、ポリ(m-メチルスチレン)、およびポリ(p-tert-ブチルスチレン)から選択される、上記19記載のフィルム。
23.  前記ポリオレフィン(b)対全フィルム重量の質量比が、2〜60質量％なる範囲にある、上記1〜22の何れか1項に記載のフィルム。
24.  少なくとも1つの更なるポリエステル層、少なくとも1つの更なるポリオレフィン層、および少なくとも1つの更なる接着性中間層をも含み、ここで一層の接着性中間層が、任意の隣接するポリエステル層とポリオレフィン層との間に存在する、上記1〜23の何れか1項に記載のフィルム。
25.  前記フィルムの層構造が、
(i) 層配列：ACBなる3-層構造；
(ii) 層配列：ACBCAなる5-層構造；および
(iii) 9または13またはそれ以上の層、および好ましくは51層以下、好ましくは25層以下を持つ多層構造、ここで層(A)および層(B)は、これらの層配列が[…ACBCACBCA…]となるように、これらの間にフィルム層(C)の中間層を含んで交互に配列されている、
から選択される、上記1〜24の何れか1項に記載のフィルム。
26.  少なくとも5層を持ち、その外側層が層(A)である、上記1〜25の何れか1項に記載のフィルム。
27.  前記接着性中間層(C)またはその各々の厚みが、0.05μm〜2.5μmなる範囲、好ましくは0.1μm〜1.5μmなる範囲にある、上記1〜26の何れか1項に記載のフィルム。
28.  前記全フィルムの厚みが、1〜10μmなる範囲にある、上記1〜27の何れか1項に記載のフィルム。
29.  層配列ACBCAを持つ5層を含み、前記フィルムの全厚みが、4〜6μmなる範囲にあり、かつ前記各層(C)の厚みが、約0.4〜約0.5μmなる範囲にあり、好ましくは該ポリエステル層(A)各々の厚みが、該ポリオレフィン層(B)の厚みの約2倍である、上記1〜28の何れか1項に記載のフィルム。
30.  前記全フィルムの厚みが、約5〜約350μmなる範囲内にある、上記1〜27の何れか1項に記載のフィルム。
31.  前記フィルムの横方向における湿度膨張係数が、0.1x10-6〜13x10-6%/RH%なる範囲にあり、および/または該フィルムの横方向における温度膨張係数が、-5x10-6〜15x10-6%/℃なる範囲にある、上記1〜30の何れか1項に記載のフィルム。
32.  前記フィルムの横方向および縦方向両者におけるヤング率が、5GPaまたはそれ以上であり、また一態様において、これら両者の総和が、22GPa以下である、上記1〜31の何れか1項に記載のフィルム。
33.  前記フィルムの離層抵抗が、少なくとも約500mN/25mmである、上記1〜32の何れか1項に記載のフィルム。
34.  同時押出しされたフィルムである、上記1〜33の何れか1項に記載のフィルム。
35.  磁気記録媒体用の基材フィルムとして使用するのに適したものである、上記1〜34の何れか1項に記載のフィルム。
36.  上記1〜34の何れか1項に記載のフィルム、およびその一方の面に設けられた磁性層を含むことを特徴とする、磁気記録媒体。
37.  LTO磁気記録媒体である、上記36記載の磁気記録媒体。
38.  上記1〜34の何れか1項に記載のフィルムを含むことを特徴とする、エレクトロニクスまたはオプト-エレクトロニクスデバイス。
39.  エレクトロルミネッセンスディスプレイデバイス、電気泳動ディスプレイデバイス、光電池および半導体デバイスから選択される、上記38記載のデバイス。
40.  可撓性である、上記38または39記載のデバイス。